(57)【要約】      （修正有）【課題】加締機が移動しにくく、パイプがつぶされやすいという問題を解決した改良型加締機を提供する。【解決手段】シャーシ１の頂部の片側に加締機構２が固定的に接続され、シャーシの頂部の他側にコントロールボックス３が固定的に接続され、シャーシの底部に取り付け溝４が設けられ、取り付け溝内に移動機構５が設けられ、加締機構は加締めヘッド２０１を含み、加締めヘッド内にキャビティが設けられ、キャビティの内壁において等距離で複数の円形スリーブが固定的に接続される。伸縮シリンダ５１９を作動させてプーリーを開口スリーブ５０１から張り出させることができ、それによって加締機全体の移動を容易にし、伸縮シリンダを再始動させるとき、プーリーを開口スリーブに引き込ませることができ、この場合、シャーシの底部を直接的に地面と接触させることができ、それにより加締機全体を安定して配置できる。【選択図】図１
2020138236.tif 000002
【特許請求の範囲】
【請求項１】
シャーシ（１）を含む改良型加締機であって、前記シャーシ（１）の頂部の片側に加締機構（２）が固定的に接続され、前記シャーシ（１）の頂部の他側にコントロールボックス（３）が固定的に接続され、前記シャーシ（１）の底部に取り付け溝（４）が設けられ、前記取り付け溝（４）内に移動機構が設けられ、
前記加締機構（２）は加締めヘッド（２０１）を含み、前記加締めヘッド（２０１）内にキャビティ（２０２）が設けられ、前記キャビティ（２０２）の内壁において等距離で複数の円形スリーブ（２０３）が固定的に接続され、前記円形スリーブ（２０３）内にピストン（２０４）が嵌着され、前記ピストン（２０４）の片側に押圧突起（２０５）が固定的に接続され、前記円形スリーブ（２０３）の内壁の片側の両端にいずれも第1折板（２０６）が可動的に接続され、かつ２つの第1折板（２０６）の他端は第2折板（２０７）の一端にヒンジ接続され、２つの第2折板（２０７）の他端はそれぞれ円弧状受け板（２０８）の外側壁の両側に可動的に接続され、前記ピストン（２０４）の他側は支持軸（２０９）の一端に固定的に接続され、前記支持軸（２０９）の他端は外から内へ円形スリーブ（２０３）と加締めヘッド（２０１）を順次貫通して加締めヘッド（２０１）の内壁の押圧ブロック（２１０）の片側に固定的に接続され、前記第1折板（２０６）と第2折板（２０７）との対向する側はリターンスプリング（２１１）によって可動的に接続され、
前記移動機構（５）は４つの開口スリーブ（５０１）を含み、４つの開口スリーブ（５０１）は２つずつの反対する側がそれぞれ取り付け溝（４）の内壁両側の前後両端に固定的に接続され、前記開口スリーブ（５０１）内にストッパブロック（５０２）が嵌着され、前記ストッパブロック（５０２）の頂部は伸縮ロッド（５０３）によって開口スリーブ（５０１）の内壁の頂部に可動的に接続され、前記伸縮ロッド（５０３）にリターンスプリング（５０４）が外嵌され、前記リターンスプリング（５０４）の両端はそれぞれ開口スリーブ（５０１）の内壁の頂部とストッパブロック（５０２）の頂部に固定的に接続され、前記ストッパブロック（５０２）の底部に嵌め込まれた軸受け（５０５）内に回転軸（５０６）が挿着され、前記回転軸（５０６）の底端にＵ字状板（５０７）が固定的に接続され、前記Ｕ字状板（５０７）内に挿着されたピン軸軸（５０８）にプーリー（５０９）が嵌着され、前記開口スリーブ（５０１）の内壁の片側にシュート（５１０）が設けられ、前記シュート（５１０）の内壁の頂部は底部とスライドバー（５１１）によって接続され、前記シュート（５１０）内においてスライドバー（５１１）に嵌着されてスライドブロック（５１２）がスライド接続され、前記スライドバー（５１１）に補助バネ（５１３）が外嵌され、前記補助バネ（５１３）の両端はそれぞれシュート（５１０）の内壁の頂部とスライドブロック（５１２）の頂部に固定的に接続され、前記スライドブロック（５１２）の片側に円形溝（５１４）が設けられ、前記円形溝（５１４）内にスライドビーズ（５１５）が嵌め込まれ、前記スライドビーズ（５１５）の円形溝（５１４）の外部を露出した表面はシュート（５１０）の内壁に重ね継ぎ、２つのスライドブロック（５１２）の対向する側はそれぞれ２つの連結軸（５１６）の一端に固定的に接続され、４つの前記連結軸（５１６）は２つずつの対向する端部がそれぞれ４つの開口スリーブ（５０１）の片側に設けられた貫通口を貫通して２つの押し板（５１７）の両側にそれぞれ固定的に接続され、２つの押し板（５１７）の対向する側は伝動板（５１８）を介して接続され、前記取り付け溝（４）の内壁の頂部に伸縮シリンダ（５１９）が固定的に接続され、前記伸縮シリンダ（５１９）の自在端は伝動板（５１８）の頂部に固定的に接続される、ことを特徴とする改良型加締機。
【請求項２】
前記押圧突起（２０５）は表面が球面である、ことを特徴とする請求項１に記載の改良型加締機。
【請求項３】
前記支持軸（２０９）の両端はそれぞれピストン（２０４）と押圧ブロック（２１０）との対向する側の中央部に位置する、ことを特徴とする請求項２に記載の改良型加締機。
【請求項４】
前記支持軸（２０９）は加締めヘッド（２０１）に嵌め込まれた直線軸受け内に貫通する、ことを特徴とする請求項３に記載の改良型加締機。
【請求項５】
前記伸縮シリンダ（５１９）の固定端は取り付け溝（４）の内壁頂部の中央位置に位置し、伸縮シリンダ（５１９）の自在端は伝動板（５１８）の頂部の中央位置に位置する、ことを特徴とする請求項４に記載の改良型加締機。
【請求項６】
前記スライドビーズ（５１５）の直径は円形溝（５１４）の開口直径の2倍である、ことを特徴とする請求項５に記載の改良型加締機。
【請求項７】
前記スライドビーズ（５１５）の数は１２個であり、かつ１２個のスライドビーズ（５１５）は３つずつでそれぞれ４つのスライドブロック（５１２）の片側に設けられる、ことを特徴とする請求項６に記載の改良型加締機。
【請求項８】
前記回転軸（５０６）の両端はそれぞれストッパブロック（５０２）とＵ字状板（５０７）との対向する側の中央部に位置する、ことを特徴とする請求項７に記載の改良型加締機。
【発明の詳細な説明】
【技術分野】
【０００１】
本発明は加締機の技術分野に関し、具体的に改良型加締機に関する。
【背景技術】
【０００２】
加締機は、パイプアセンブリを加締めるための油圧装置であり、それは加締機の金型を介して適合した金属継手に収縮力を加え、金属継手をセットとなるエンジニアリング機械用高圧オイルパイプまたは自動車のブレーキパイプ、オイルパイプ、空調用パイプおよびパワーパイプにしっかりと押し付ける。加締機は様々な機械的高圧および低圧オイルパイプ、ガスパイプ、水道管、ケーブルジョイント、自動車用空調パイプ、自動車用パワーステアリングパイプ、オイルパイプ、ガソリン供給パイプ、および建設部品、日常給湯パイプの加締めに適し、自動車、エンジニアリング機械、油圧機械、溶接および切断装置などの業界に広く利用されている。従来の加締機を使用するとき、普通は、シャーシを地面に直接配置し、しかしシャーシの底部に移動機構が設けられていないため、機構全体を移動させにくく、そして様々なパイプラインを加締めるとき、パイプラインの一部の材質は銑鉄であるために、パイプがつぶされやすい。
【先行技術文献】
【特許文献】
【０００３】
【特許文献１】中国特許出願公開第107685112号明細書
【０００４】
従来技術における欠陥に対して、本発明は改良型加締機を提供し、加締機が移動しにくく、パイプがつぶされやすいという問題を解決した。
【発明の概要】
【０００５】
上記の技術の課題を解決するために、本発明は以下の技術的解決手段によって達成される：シャーシを含む改良型加締機であって、前記シャーシの頂部の片側に加締機構が固定的に接続され、前記シャーシの頂部の他側にコントロールボックスが固定的に接続され、前記シャーシの底部に取り付け溝が設けられ、前記取り付け溝内に移動機構が設けられる。
【０００６】
前記加締機構は加締めヘッドを含み、前記加締めヘッド内にキャビティが設けられ、前記キャビティの内壁において等距離で複数の円形スリーブが固定的に接続され、前記円形スリーブ内にピストンが嵌着され、前記ピストンの片側に押圧突起が固定的に接続され、前記円形スリーブの内壁の片側の両端にいずれも第1折板が可動的に接続され、かつ２つの第1折板の他端は第2折板の一端にヒンジ接続され、２つの第2折板の他端はそれぞれ円弧状受け板の外側壁の両側に可動的に接続され、前記ピストンの他側は支持軸の一端に固定的に接続され、前記支持軸の他端は外から内へ円形スリーブと加締めヘッドを順次貫通して加締めヘッドの内壁の押圧ブロックの片側に固定的に接続され、前記第1折板と第2折板との対向する側はリターンスプリングによって可動的に接続される。
【０００７】
前記移動機構は４つの開口スリーブを含み、４つの開口スリーブは２つずつの反対する側がそれぞれ取り付け溝の内壁両側の前後両端に固定的に接続され、前記開口スリーブ内にストッパブロックが嵌着され、前記ストッパブロックの頂部は伸縮ロッドによって開口スリーブ内壁の頂部に可動的に接続され、前記伸縮ロッドにリターンスプリングが外嵌され、前記リターンスプリングの両端はそれぞれ開口スリーブの内壁の頂部とストッパブロックの頂部に固定的に接続され、前記ストッパブロックの底部に嵌め込まれた軸受け内に回転軸が挿着され、前記回転軸の底端にＵ字状板が固定的に接続され、前記Ｕ字状板内に挿着されたピン軸にプーリーが嵌着され、前記開口スリーブ内壁の片側にシュートが設けられ、前記シュート内壁の頂部は底部とスライドバーによって接続され、前記シュート内においてスライドバーに嵌着されてスライドブロックがスライド接続され、前記スライドバーに補助バネが外嵌され、前記補助バネの両端はそれぞれシュートの内壁の頂部とスライドブロックの頂部に固定的に接続され、前記スライドブロックの片側に円形溝が設けられ、前記円形溝内にスライドビーズが嵌め込まれ、前記スライドビーズの円形溝の外部を露出した表面はシュートの内壁に重ね継ぎ、２つのスライドブロックの対向する側はそれぞれ２つの連結軸の一端に固定的に接続され、４つの前記連結軸は２つずつの対向する端部はそれぞれ４つの開口スリーブの片側に設けられた貫通口を貫通して２つの押し板の両側にそれぞれ固定的に接続され、２つの押し板の対向する側は伝動板を介して接続され、前記取り付け溝の内壁の頂部に伸縮シリンダが固定的に接続され、前記伸縮シリンダの自在端は伝動板の頂部に固定的に接続される。
【０００８】
さらに好ましくは、前記押圧突起は表面が球面である。
【０００９】
さらに好ましくは、前記支持軸の両端はそれぞれピストンと押圧ブロックとの対向する側の中央部に位置する。
【００１０】
さらに好ましくは、前記支持軸（２０９）は加締めヘッド（２０１）に嵌め込まれた直線軸受け内に貫通する。
【００１１】
さらに好ましくは、前記伸縮シリンダの固定端は取り付け溝の内壁頂部の中央位置に位置し、伸縮シリンダの自在端は伝動板の頂部の中央位置に位置する。
【００１２】
さらに好ましくは、前記スライドビーズの直径は円形溝の開口直径の2倍である。
【００１３】
さらに好ましくは、前記スライドビーズの数は１２個であり、かつ１２個のスライドビーズは３つずつでそれぞれ４つのスライドブロックの片側に設けられる。
【００１４】
さらに好ましくは、前記回転軸の両端はそれぞれストッパブロックとＵ字状板との対向する側の中央部に位置する。
【００１５】
本発明は改良型加締機を提供し、それは以下の有益な効果を有する：
【００１６】
（１）、伸縮シリンダを作動させてプーリーを開口スリーブから張り出させることができ、このとき、シャーシを押すと、プーリーを地面上に転がし、それにより加締機全体の移動を容易にし、伸縮シリンダを再始動させるとき、プーリーを開口スリーブに引き込ませることができ、このとき、シャーシの底部を直接的に地面と接触させることができ、それにより加締機全体を安定して配置できる。
【００１７】
（２）、パイプラインが加締めヘッド内に配置されるとき、各押圧ブロックはパイプラインの周りに包まれ、加締めヘッドは圧力を受けるとき、支持軸によってピストンの円形スリーブ内での移動を推し進めることができ、それによりピストンは押圧突起を円形スリーブの内側に移動させるように推し進めることができ、かつ、円弧状受け板は第１折板と第２折板の相対的折り畳むように押すことができ、従って、リターンスプリングを変形させることができ、このとき押圧ブロックのパイプライン表面への圧力を低減させることができる。
【図面の簡単な説明】
【００１８】
【図１】本発明の構造の正面の断面図である。
【００１９】
【図２】本発明の図１におけるＡ箇所の構造の拡大図である。
【００２０】
【図３】本発明の図１におけるＢ箇所の構造の拡大図である。
【００２１】
【図４】本発明の図１におけるＣ箇所の構造の拡大図である。
【００２２】
【図５】本発明の構造の押し板と伝動板の平面図である。
【００２３】
図中、１シャーシ、２加締機構、２０１加締めヘッド、２０２キャビティ、２０３円形スリーブ、２０４ピストン、２０５押圧突起、２０６第1折板、２０７第2折板、２０８円弧状受け板、２０９支持軸、２１０押圧ブロック、２１１リターンスプリング、３コントロールボックス、４取り付け溝、５移動機構、５０１開口スリーブ、５０２ストッパブロック、５０３伸縮ロッド、５０４リターンスプリング、５０５軸受け、５０６回転軸、５０７Ｕ字状板、５０８ピン軸、５０９プーリー、５１０シュート、５１１スライドバー、５１２スライドブロック、５１３補助バネ、５１４円形溝、５１５スライドビーズ、５１６連結軸、５１７押し板、５１８伝動板、５１９伸縮シリンダ。
【発明を実施するための形態】
【００２４】
以下、本発明の実施例における図面によって、本発明の実施例における技術的解決手段を明確かつ完全に説明し、明らかなことに、説明される実施例は本発明の実施例の一部に過ぎず、実施例の全てではない。本発明の実施例に基づいて、当業者は創造的な工夫をせずに、取得された他のすべての実施例は、本発明の保護範囲内に含まれるべきである。
【００２５】
図１から５に示すように、本発明は以下の技術的解決手段を提供する：シャーシ１を含む改良型加締機であって、シャーシ１頂部の片側に加締機構２が固定的に連結され、加締機構２は加締めヘッド２０１を含み、加締めヘッド２０１内にキャビティ２０２が設けられ、キャビティ２０２の内壁において等距離で複数の円形スリーブ２０３が固定的に連結され、円形スリーブ２０３内にピストン２０４が嵌着され、ピストン２０４の片側に押圧突起２０５が固定的に連結され、押圧突起２０５の表面が球面であり、円形スリーブ２０３の内壁の片側の両端にいずれも第1折板２０６が可動的に連結され、２つの第1折板２０６の他端は第2折板２０７の一端にヒンジ連結され、２つの第2折板２０７の他端はそれぞれ円弧状受け板２０８の外側壁の両側に可動的に接続され、ピストン２０４の他側は支持軸２０９の一端に固定的に接続され、支持軸２０９の他端は外から内へ円形スリーブ２０３と加締めヘッド２０１を順次貫通して加締めヘッド２０１の内壁の押圧ブロック２１０の片側に固定的に接続され、支持軸２０９の両端はそれぞれピストン２０４と押圧ブロック２１０との対向する側の中央部に位置し、支持軸２０９は加締めヘッド２０１に嵌め込まれた直線軸受け内を貫通し、支持軸２０９の両端とピストン２０４および押圧ブロック２１０との間の位置関係によって、ピストン２０４は支持軸２０９によって押圧ブロック２１０の移動を安定的に推し進めることができ、第1折板２０６と第2折板２０７との対向する側はリターンスプリング２１１によって可動的に接続され、伸縮シリンダ５１９を作動させてプーリー５０９を開口スリーブ５０１から張り出させることができ、このとき、シャーシ１を押すと、プーリー５０９を地面上に転がし、それにより加締機全体の移動を容易にし、伸縮シリンダ５１９を再始動させるとき、プーリー５０９を開口スリーブ５０１に引き込ませることができ、このとき、シャーシ１の底部を直接的に地面と接触させることができ、それにより加締機全体を安定して配置できる。シャーシ１の頂部の他側にコントロールボックス３が固定的に接続され、シャーシ１の底部に取り付け溝４が設けられ、取り付け溝４内に移動機構５が設けられ、移動機構５は４つの開口スリーブ５０１を含み、４つの開口スリーブ５０１は２つずつの反対する側がそれぞれ取り付け溝４の内壁両側の前後両端に固定的に接続され、開口スリーブ５０１内にストッパブロック５０２が嵌着され、ストッパブロック５０２の頂部は伸縮ロッド５０３によって開口スリーブ５０１内壁の頂部に可動的に接続され、伸縮ロッド５０３にリターンスプリング５０４が外嵌され、リターンスプリング５０４の両端はそれぞれ開口スリーブ５０１の内壁の頂部とストッパブロック５０２の頂部に固定的に接続され、ストッパブロック５０２の底部に嵌め込まれた軸受け５０５内に回転軸５０６が挿着され、回転軸５０６の底端にＵ字状板５０７が固定的に接続され、Ｕ字状板５０７内に挿着されたピン軸５０８にプーリー５０９が嵌着され、回転軸５０６の両端はそれぞれストッパブロック５０２とＵ字状板５０７の対向する側の中央部に位置し、ストッパブロック５０２を、回転軸５０６を介してＵ字状板５０７内に設置されたプーリー５０９を安定して支持させ、開口スリーブ５０１の内壁の片側にシュート５１０が設けられ、シュート５１０内壁の頂部は底部とスライドバー５１１によって接続され、シュート５１０内においてスライドバー５１１に嵌着されてスライドブロック５１２がスライド接続され、スライドバー５１１に補助バネ５１３が外嵌され、補助バネ５１３の両端はそれぞれシュート５１０の内壁の頂部とスライドブロック５１２の頂部に固定的に接続され、スライドブロック５１２の片側に円形溝５１４が設けられ、円形溝５１４内にスライドビーズ５１５が嵌め込まれ、スライドビーズ５１５の円形溝５１４の外部を露出した表面はシュート５１０の内壁に重ね継ぎ、スライドビーズ５１５の直径は円形溝５１４の開口直径の2倍であり、スライドビーズ５１５の数は１２個であり、かつ１２個のスライドビーズ５１５は３つずつでそれぞれ４つのスライドブロック５１２の片側に設けられ、スライドブロック５１２はシュート５１０内に移動するとき、スライドビーズ５１５をシュート５１０の内壁に転がらせることができ、このとき、スライドブロック５１２とシュート５１０との間の摩擦力を低減でき、それによりプーリー５０９を安定的に上下移動させやすく、２つのスライドブロック５１２の対向する側はそれぞれ２つの連結軸５１６の一端に固定的に接続され、４つの連結軸５１６は２つずつの対向する端部がそれぞれ４つの開口スリーブ５０１の片側に設けられた貫通口を貫通して２つの押し板５１７の両側にそれぞれ固定的に接続され、２つの押し板５１７の対向する側は伝動板５１８を介して接続され、取り付け溝４の内壁の頂部に伸縮シリンダ５１９が固定的に接続され、伸縮シリンダ５１９の自在端は伝動板５１８の頂部に固定的に接続され、伸縮シリンダ５１９の固定端は取り付け溝４の内壁頂部の中央位置に位置し、且つ、伸縮シリンダ５１９の自在端は伝動板５１８頂部の中央位置に位置し、このとき、伸縮シリンダ５１９は伝動板５１８を介して２つの押し板５１７の移動を安定的に推し進めることができ、それによりプーリー５０９を開口スリーブ５０１から安定的に出入り可能にし、パイプラインが加締めヘッド２０１内に配置されるとき、各押圧ブロック２１０はパイプラインの周りに包まれ、加締めヘッド２０１は圧力を受けるとき、支持軸２０９によってピストン２０４の円形スリーブ２０３内での移動を推し進めることができ、それによりピストン２０４は押圧突起２０５を円形スリーブ２０３内に移動させるように推し進めることができ、かつ、円弧状受け板２０８は第１折板２０６と第２折板２０７とを相対的に折り畳ませることができるようにし、従って、リターンスプリングを変形させることができ、このとき押圧ブロック２１０のパイプライン表面への圧力を低減させることができる。
【００２６】
動作原理：加締機全体を移動させる必要がある場合、まず伸縮シリンダ５１９を作動させて、伝動板５１８が２つの押し板５１７を介して４つの開口スリーブ５０１内で移動するように４つのストッパブロック５０２を駆動でき、このとき、ストッパブロック５０２は回転軸５０６を介してＵ字状板５０７内に設けられたプーリー５０９を駆動して開口スリーブ５０１から張り出して地面に重ね継ぎするようにし、伸縮シリンダ５１９を徐々に伸ばしながら、４つのプーリー５０９でシャーシ１を徐々に地面から持ち上げて離れることができ、続いてシャーシ１を押すと、加締機全体を動かすことができ、パイプラインを加締めヘッド２０１内に挿着する場合、押圧ブロック２１０はパイプラインの表面に包まれ、押圧ブロック２１０が加圧されているとき、支持軸２０９は、ピストン２０４に設けられた押圧突起２０５を押して円弧状受け板２０８を押圧することができるようにし、このとき、第１折板２０６と第２折板２０７とを相対的に折り畳ませることができ、これにより、リターンスプリング２１１を伸張させることができ、従って、押圧ブロック２１０のパイプラインに対する圧力を低減させることができ、このとき、銑鉄製のパイプラインがつぶされることを避けることができる。
【図１】
2020138236.tif 000003
【図２】
2020138236.tif 000004
【図３】
2020138236.tif 000005
【図４】
2020138236.tif 000006
【図５】
2020138236.tif 000007